(57)【要約】【課題】トナー画像処理装置における感光体の電荷変動を補償する。【解決手段】トナー画像処理装置において、感光体１０２の各パネル１０６についてセンサ１１０を用いてＤＰＺ１０７の複数のポイントについて第１の濃度値を測定し、各パネル１０６についてセンサ１１０を用いてＩＤＺ１０８の第２の濃度値を測定し、各パネル１０６について、特別にプログラムされたコンピュータ１１４のプロセッサ１１６を用いて、所望の濃度値に対する第１の濃度値の変化を決定し、各ＩＤＺ１０８について、プロセッサ１１６を用いて、各補償ＩＤＺ濃度値を決定し、プロセッサ１１６を用いて、各補償ＩＤＺ濃度と所望の値の差を決定し、その差に従って、各帯電部材１１２の動作を調整して、該各パネル１０６の第１の濃度値を、所望の濃度値に対して実質的に一致させる。【選択図】図２
2011043811.tif 000002
【特許請求の範囲】
【請求項１】
トナー画像処理装置において、感光体の電荷保持画像形成面を補償する方法であって、前記電荷保持画像形成面は、複数のパネルを含み、各パネルは、ドキュメントプリントゾーン（ＤＰＺ）およびインタドキュメントゾーン（ＩＤＺ）を含み、前記装置は、少なくとも１つの特別にプログラムされたコンピュータ、少なくとも１つのセンサおよび前記電荷保持画像形成面に電荷を付与するための帯電部材を備え、
各パネルについて、前記少なくとも１つのセンサを用いて、前記感光体のプリント領域にある前記ＤＰＺの複数のポイントについて第１の濃度値を測定し、
各パネルについて、前記少なくとも１つのセンサを用いて、前記ＩＤＺの第２の濃度値を測定し、
前記各パネルについて、前記少なくとも１つの特別にプログラムされたコンピュータのプロセッサを用いて、所望の濃度値に対する前記第１の濃度値の変化を決定し、
前記各パネルについて、前記プロセッサおよび前記所望の濃度値に対する前記変化を用いて、少なくとも１つの各パネル濃度補正値を決定して、前記第１の濃度値を修正し、前記所望の濃度値に対する前記変化を補正し、
各ＩＤＺについて、前記プロセッサおよび前記少なくとも１つの各パネル濃度補正値を用いて、各補償ＩＤＺ濃度値を決定し、
前記プロセッサを用いて、前記各補償ＩＤＺ濃度値と前記所望の値の差を決定し、
前記差に従って、前記各帯電部材の動作を修正して、前記各パネルの前記第１の濃度値を、前記所望の濃度値に対して実質的に一致させることを含む方法。
【請求項２】
電荷補償によるトナー画像処理装置であって、
ドキュメントプリントゾーン（ＤＰＺ）およびインタドキュメントゾーン（ＩＤＺ）をそれぞれ含む複数のパネルを含む電荷保持画像形成面のある感光体と、
少なくとも１つのセンサと、
前記電荷保持画像形成面に電荷を付与するための帯電部材と、
プロセッサを含む少なくとも１つの特別にプログラムされたコンピュータと
を備え、
前記少なくとも１つのセンサが、
各パネルについて、前記感光体のプリント領域にある前記ＤＰＺの複数のポイントについて第１の濃度値を測定し、
各パネルについて、前記ＩＤＺの第２の濃度値を測定するものであり、
前記プロセッサが、
前記各パネルについて、所望の濃度値に対する前記第１の濃度値の変化を決定し、
前記各パネルについて、前記所望の濃度値に対する前記変化を用いて、少なくとも１つの各パネルの濃度補正値を決定して、前記第１の濃度値を修正し、前記所望の濃度値に対する前記変化を補正し、
各ＩＤＺについての各補償ＩＤＺ濃度値を、前記少なくとも１つの各パネル濃度補正値を用いて決定し、
各補償ＩＤＺ濃度値と前記所望の値の差を決定し、
前記差に従って、前記各帯電部材の動作を修正して、前記各パネルの前記第１の濃度値を、前記所望の濃度値に対して実質的に一致させるためのものである、トナー画像処理装置。
【請求項３】
トナー画像処理装置において、感光体の電荷保持画像形成面を補償する方法であって、前記電荷保持画像形成面は、複数のパネルを含み、各パネルは、ドキュメントプリントゾーン（ＤＰＺ）およびインタドキュメントゾーン（ＩＤＺ）を含み、前記装置は、少なくとも１つの特別にプログラムされたコンピュータ、少なくとも１つのセンサおよび前記電荷保持画像形成面に電荷を付与するための帯電部材を備え、
各パネルについて、前記少なくとも１つのセンサを用いて、前記感光体のプリント領域にある前記ＤＰＺの複数のポイントについて第１の濃度値を測定し、
前記各パネルについて、前記プロセッサを用いて、前記所望の濃度値に対する前記第１の濃度値の変化を決定し、
前記各パネルについて、前記少なくとも１つのセンサを用いて、ＩＤＺについての第２の濃度値を測定し、
各ＩＤＺについて、前記少なくとも１つの特別にプログラムされたコンピュータにおけるプロセッサおよび前記変化を用いて、各補償ＩＤＺ濃度値を決定し、
前記各補償されたＩＤＺ濃度値に従って、前記各帯電部材の動作を修正して、前記各パネルの前記第１の濃度値を、前記所望の濃度値に対して実質的に一致させることを含む方法。
【請求項４】
トナー画像処理装置において、感光体の電荷保持画像形成面を補償する方法であって、前記電荷保持画像形成面は、複数のパネルを含み、各パネルは、ドキュメントプリントゾーン（ＤＰＺ）およびインタドキュメントゾーン（ＩＤＺ）を含み、前記装置は、少なくとも１つの特別にプログラムされたコンピュータ、少なくとも１つのセンサおよび前記電荷保持画像形成面に電荷を付与するための帯電部材を備え、
各パネルについて、前記少なくとも１つのセンサを用いて、前記感光体のプリント領域にある前記ＤＰＺの複数のポイントについて第１の濃度値を測定し、
各パネルについて、前記少なくとも１つのセンサを用いて、前記ＩＤＺの第２の濃度値を測定し、
前記各パネルについて、前記少なくとも１つの特別にプログラムされたコンピュータのプロセッサを用いて、所望の濃度値に対する前記第１の濃度値の変化を決定し、
各ＩＤＺについて、前記プロセッサを用いて、各補償されたＩＤＺ濃度値を決定し、
前記プロセッサを用いて、前記各補償ＩＤＺ濃度値と前記所望の値の差を決定し、
前記差に従って、前記各帯電部材の動作を修正して、前記各パネルの前記第１の濃度値を、前記所望の濃度値に対して実質的に一致させることを含み、
前記各パネルについて、前記所望の濃度に対する前記第１の濃度値の変化を決定することが、前記所望の濃度値に対する前記第１の濃度値についての各統計パラメータの変化を決定することを含み、
前記各統計パラメータが、前記第１の濃度値の中央値である方法。
【発明の詳細な説明】
【技術分野】
【０００１】
本開示内容は、トナー画像処理装置における感光体の電荷補償に関する。
【背景技術】
【０００２】
長いマルチピッチの感光体ベルトを有する電子写真プリント装置では、ベルトの全周に沿って一定した静電特性を維持するのに問題がある。
【先行技術文献】
【特許文献】
【０００３】
【特許文献１】米国特許第６２２３００６号明細書
【特許文献２】米国特許公開第２００６／０１５３５８２号明細書
【特許文献３】米国特許公開第２００８／０１７５６１０号明細書
【発明の概要】
【発明が解決しようとする課題】
【０００４】
例えば、多くの感光体は、感光体製造操作により生じる、一般に、ランアウトと呼ばれる誘電体厚ばらつきに主に起因して、一周で静電特性が変動することが知られている。非補償の静電特性は、感光体の一周の電圧プロフィールに従って、感光体の平均局所電荷レベルを変える。
【課題を解決するための手段】
【０００５】
本明細書に例示した態様によれば、トナー画像処理装置において、感光体の電荷保持画像形成面を補償する方法であって、電荷保持画像形成面は複数のパネルを含み、各パネルは、ドキュメントプリントゾーン（ＤＰＺ）およびインタドキュメントゾーン（ＩＤＺ）を含み、装置は、少なくとも１つの特別にプログラムされたコンピュータ、少なくとも１つのセンサおよび電荷保持画像形成面に電荷を付与するための帯電部材を含み、各パネルについて、少なくとも１つのセンサを用いて、感光体のプリント領域にあるＤＰＺの複数のポイントについて第１の濃度値を測定し、各パネルについて、少なくとも１つのセンサを用いて、ＩＤＺの第２の濃度値を測定し、該各パネルについて、少なくとも１つの特別にプログラムされたコンピュータのプロセッサを用いて、所望の濃度値に対する第１の濃度値の変化を決定し、各ＩＤＺについて、プロセッサを用いて、各補償ＩＤＺ濃度値を決定し、プロセッサを用いて、各補償ＩＤＺ濃度と所望の値の差を決定し、その差に従って、各帯電部材の動作を調整して、該各パネルの第１の濃度値を、所望の濃度値に対して実質的に一致させることを含む方法が提供される。
【０００６】
本明細書に例示した態様によれば、それぞれが、ドキュメントプリントゾーン（ＤＰＺ）およびインタドキュメントゾーン（ＩＤＺ）を含む複数のパネルを含む電荷保持画像形成面のある感光体と、少なくとも１つのセンサと、電荷保持画像形成面に電荷を付与するための帯電部材と、プロセッサを含む少なくとも１つの特別にプログラムされたコンピュータとを含む電荷補償によるトナー画像処理装置が提供される。少なくとも１つのセンサは、各パネルについて、それぞれが感光体のプリント領域にあるＤＰＺにおいて複数のポイントについて第１の濃度値を測定し、該各パネルについて、ＩＤＺの第２の濃度値を測定するものである。プロセッサは、該各パネルについて、所望の濃度値に対する第１の濃度値の変化を決定し、各ＩＤＺについて、各補償ＩＤＺ濃度値を決定し、各補償ＩＤＺ濃度値と所望の値の差を決定し、その差に従って、各帯電部材の動作を変更して、各パネルの第１の濃度値を、所望の濃度値に対して実質的に一致させるものである。
【０００７】
本明細書に例示した態様によれば、トナー画像処理装置において、感光体の電荷保持画像形成面を補償する方法であって、電荷保持画像形成面は複数のパネルを含み、各パネルは、ドキュメントプリントゾーン（ＤＰＺ）およびインタドキュメントゾーン（ＩＤＺ）を含み、装置は、少なくとも１つの特別にプログラムされたコンピュータ、少なくとも１つのセンサおよび電荷保持画像形成面に電荷を付与するための帯電部材を含み、各パネルについて、少なくとも１つのセンサを用いて、感光体のプリント領域にあるＤＰＺの複数のポイントについて第１の濃度値を測定し、該各パネルについて、少なくとも１つのセンサを用いて、ＩＤＺについての第２の濃度値を測定し、各ＩＤＺについて、少なくとも１つの特別にプログラムされたコンピュータにおけるプロセッサを用いて、各補償ＩＤＺ濃度値を決定し、各補正されたＩＤＺ濃度値に従って、各帯電部材の動作を修正して、該各パネルの第１の濃度値を、所望の濃度値に対して実質的に一致させることを含む方法が提供される。
【図面の簡単な説明】
【０００８】
【図１】トナー画像処理装置の略図である。
【図２】感光体ベルトの「アンロール」部分を含む図１のトナー画像処理装置の一部の概略図である。
【図３】感光体のインタドキュメントゾーン（ＩＤＺ）におけるコントロールパッチの詳細図である。
【図４】感光体のパネルについての非補償濃度値を示すグラフである。
【図５】図４に示す濃度値の補償を示すグラフである。
【発明を実施するための形態】
【０００９】
図１は、感光体ベルト１０２を備えたトナー画像処理装置１００の略図である。装置１００は、電子写真コントロールを用いた電子写真操作に有用である。「トナー画像処理装置」、「装置」および「電子写真装置」という用語は、以降、区別なく用いられる。
【００１０】
図２は、感光体ベルト１０２の「アンロール」部分を含む図１のトナー画像処理装置１００の一部の概略図である。感光体１０２は、各ドキュメントプリントゾーン（ＤＰＺ）１０７およびインタドキュメントゾーン（ＩＤＺ）を有する複数のパネル１０６を備えた保持画像形成面１０４を含む。感光体１０２は、図に示した数のＤＰＺおよびＩＤＺに限定されない。装置はまた、少なくとも１つのセンサ１１０と、電荷保持画像形成面に電荷を付与するための帯電部材１１２も含む。各ＤＰＺは、感光体のプリント領域にある。すなわち、装置によりプリントがなされる材料のシートが、各ＤＰＺに配置される。各帯電部材は、別個にコントロール可能である。装置１００はまた、プロセッサ１１６を含む少なくとも１つの特別にプログラムされたコンピュータ１１４も含む。このように、装置１００は、電子写真プロセスのためのコントロールシステムを含む。コンピュータ１１４およびプロセッサ１１６は、当該技術分野において公知の任意のコンピュータまたはプロセッサとすることができる。
【００１１】
装置１００は、特定の数または構成のセンサに限定されない。一実施形態において、例えば、図２に示すとおり、センサ１１０は単一画素である。一実施形態において（図示せず）、センサ１１０は、複数の画素を含むが、感光体の全幅は超えない。一実施形態において（図示せず）、センサ１１０は、全幅アレイセンサである。例えば、以下の図３に示したような複数のセンサまたは全幅アレイセンサは、例えば、装置１００における複数色について、そして、内側と外側の複数パッチレベルについて、複数の試験を同時に行え、有利である。試験についてはさらに後述してある。
【００１２】
センサ１１０は、各ＤＰＺにおける複数のコントロールポイントまたはコントロールパッチ１１８についての濃度値を測定する。以降、「コントロールポイント」、「コントロールパッチ」および「ポイント」は区別なく用いられる。多数のパッチまたはポイントを各ＤＰＺについて測定することができる。一実施形態において、同数のポイントが各ＤＰＺについて測定される。図２において、９つのポイント１１８が示されている。表現を簡単にするために、ＤＰＺ  １０７Ｄについてのみ９つのポイントを示してある。ただし、当然のことながら、残りのＤＰＺも本例においては９つのポイントで測定される。センサ１１０は、各ＩＤＺにおいてポイント１２０についての濃度値も測定する。各ＩＤＺについて単一の測定ポイントが示されているが、当然のことながら、ＩＤＺにおいて、他の数のポイントを測定することができる。前述した測定は、装置１００の様々な操作中、例えば、サイクルアップ、サイクルダウンまたは品質調整中に行うことができる。また、測定は、均一濃度(solids)、中間調、ハイライトまたはその他の濃度パラメータについて得ることができる。
【００１３】
図３は、感光体のＩＤＺにおけるコントロールパッチを示す。前述したとおり、センサ１１０は、単一ポイント画素から全幅アレイセンサまで変えることができる。図３に、センサ１１０により測定または試験される、ＩＤＺにおいて可能なコントロールパッチを示す。当然のことながら、コントロールパッチのその他の構成も可能である。例えば、ＤＰＺ  １０７ＡについてのＩＤＺ  １０８Ａは、色合いなく現像されていないパッチを含むことができ、１４０はブラック、１４２はシアン、１４４はイエロー、１４６はマゼンタ、および１４８はスポットカラーである。例えば、ＩＤＺ  １０８Ａはまた、トーンパッチも含むことができ、１５０は、イエロートナーのみからなり、２つのトーンの相補的なパッチ１５２および１５４は、それぞれ、ブルー（マゼンタ＋シアン）パッチとダークスポット（ブルー＋スポット）パッチとからなる。
【００１４】
第２のセットの３トーンパッチは、マゼンタトナーからなるパッチ１６０と、グリーン（シアン＋イエロー）パッチ１６２とダークスポット（ブラック＋スポット）パッチ１６４を含む一対のトーンの相補的なパッチを含む。第３のセットの３つのパッチは、シアントナーからなるパッチ１６６と、レッド（マゼンタ＋イエロー）パッチ１６８とダークスポット（ブラック＋スポット）パッチ１７０を含む一対の相補的なパッチを含む。パッチは、中間フルカラー画像領域１７２と１７４に配置されている。
【００１５】
図４は、感光体１０２のＤＰＺおよびＩＤＺについての非補正濃度値を示すグラフである。グラフ２００において、ｙ軸は濃度、ｘ軸はプロセス方向Ｐにおいて、感光体１０２に沿った位置である。前述した感光体の変化は、現像特性として現れ、例えば、感光体周囲に沿ったポイントでの濃度値の変化により示される。感光体１０２についてのかかる現像特性を図４に示す。グラフ２００は、ポイント１１８（ＤＰＺ）での濃度値２０２およびポイント１２０（ＩＤＺ）での濃度値２０４を示す。理想的な条件下では、濃度値２０２および２０４は、所望の濃度レベル、例えば、図４の１に等しくなる。ただし、実際には、実際の濃度値２０２および２０４は、例えば、前述した感光体の静電特性における変化のために、所望のレベルからはかなりずれる。図４に示すとおり、値２０２のある程度の変化は、パネル内で生じ得、値２０２の変化は、パネル間で生じ得る。例えば、平均で、ＤＰＺ  １０７Ｂの濃度値は、ＤＰＺ  １０７Ａのものより大きい。ＩＤＺは、異なる電子写真処理を経時にわたって受けることが多く（その部分は電子写真トナー転写サブシステムを通過するため、紙は存在しない）、ＤＰＺとＩＤＺの電気的特性間にさらに違いが生じる。かかる違いは、時間により顕著となり、ピッチモード依存性がある。
【００１６】
図５は、図４に示す濃度値２０２の補償または補正を示すグラフ３００である。グラフ３００は、後述する操作に従って補償を行った後の、感光体１０２の現像特性を示す。
【００１７】
図１および２の装置１００は、トナー画像処理装置の感光体について、電荷保持画像形成面の補償を実施して、例えば、以下の図５に示す結果を得るのに好適なものである。プロセッサ１１６は、所望の濃度値に対する、各ＤＰＺについての濃度値２０２の変化を決定する。一実施形態において、プロセッサ１１６は、所望の濃度値に対する非補償の濃度値についての統計パラメータの変化を決定する。当該技術分野において公知の任意の統計パラメータを用いることができる。一実施形態において、統計パラメータは、非補償の濃度値の中央値である。
【００１８】
プロセッサ１１６はまた、ＤＰＺに関連した各ＩＤＺ（ポイント１２０）の各補償ＩＤＺ濃度値も決定する。後述するとおり、プロセッサは、ＤＰＺの各補償ＩＤＺ濃度値を用いて、各帯電部材の操作を修正して、ＤＰＺの濃度値を、所望の濃度値に対して実質的に一致させる。例えば、各パネルについて、プロセッサは、補償ＩＤＺ濃度値と所望の値の差を決定し、その差に従って、ＤＰＺに関する帯電部材の動作を修正する。
【００１９】
一実施形態において、プロセッサは、各パネルについて、所望の濃度値に対する変化を用いて、少なくとも１つの各パネル濃度補正値を決定する。少なくとも１つの各パネル濃度補正値を用いて、第１の濃度値を修正して、所望の濃度値に対する変化を補正する。各パネルについて、プロセッサは、各パネル濃度補正値を用いて、各補償ＩＤＺ濃度を決定する。すなわち、パネル濃度補正値は、パネル中のポイントについて所望の濃度レベルにおいて、各変化に対して補正される。
【００２０】
一実施形態において、プロセッサは、ＤＰＺについての非補償濃度値の中で統計的異常値を識別し、統計的異常値のない所望の濃度値に対する非補償濃度値の変化を決定する。すなわち、異常値による計算のずれを防ぐために、異常値は排除される。
【００２１】
一実施形態において、補償ＩＤＺ濃度値は、コンピュータ用のメモリ要素１２２に記憶され、後の操作中に、帯電部材を調節するのに用いられる。すなわち、補償ＩＤＺ濃度値は、連続的に決定されない。一実施形態において、補償ＩＤＺ濃度値が決定され、様々な、例えば、周期的な時間の間隔で、必要に応じて変更される。
【００２２】
後述するとおり、近似は、例示のためだけで示されている。同じく、当然のことながら、図５に示す値および関係は、例示のためだけであり、厳密なものではない。例えば、図２のＤＰＺ  １０７Ａについては、プロセッサは、非補償の濃度値の平均または中央値が、所望の値１から約０．１５異なることを決定する。次に、プロセッサは、ＩＤＺ  １０８Ａについての補償ＩＤＺ濃度値３０２Ａを決定する。補償ＩＤＺ値３０２Ａと所望の密度レベル１の差を用いて、パネル１０６Ａについて帯電部材を調節し、ＤＰＺ  １０７Ａについての補償濃度値３０４を生成する。すなわち、帯電部材の操作をコントロールして、ＤＰＺの補償濃度値３０４を、ＤＰＺにおけるポイントの濃度値の統計パラメータ、例えば、中心傾向の平均、中央値または任意の適宜した尺度を中心にする。一実施形態において、補償は、プロセス方向Ｐにあり、内側と外側の濃度レベルの変化を増幅しない。
【００２３】
このように、上述した操作は、ＩＤＺでの密度読み取りを、それぞれ独立したターゲットレベルまでコントロールして、パネル毎の濃度の変化を減らす。例えば、ＩＤＺでの濃度読み取りをコントロールして、パネルのＤＰＺにおける濃度レベルの分布を中心にする目的で、ターゲットを分離する。通常、線形の関係を保持して、ＩＤＺレベルをターゲットまで調節することにより、画像パネル接触が適切に修正される。
【００２４】
上述したとおり、本明細書に例示した態様によれば、トナー画像処理装置における感光体の電荷保持画像形成面を補償する方法が提供され、電荷保持画像形成面は、複数のパネルを含み、各パネルは、ドキュメントプリントゾーン（ＤＰＺ）およびインタドキュメントゾーン（ＩＤＺ）を含み、装置は、少なくとも１つの特別にプログラムされたコンピュータ、少なくとも１つのセンサおよび電荷保持画像形成面に電荷を付与するための帯電部材を含む。一実施形態において、本方法は、該各パネルについて、プロセッサおよび所望の濃度値に対する変化を用いて、少なくとも１つの各パネル濃度補正値を決定して、第１の濃度値を修正し、所望の濃度値に対する変化を補正する。各ＩＤＺについて、各補償ＩＤＺ濃度値を決定することには、少なくとも１つの各パネル濃度補正値を用いることが含まれる。
【００２５】
一実施形態において、各パネルについて、所望の濃度値に対する第１の濃度値の変化を決定することには、所望の濃度値に対する第１の濃度値のそれぞれの統計パラメータの変化を決定することが含まれる。一実施形態において、各統計パラメータは、第１の濃度値についての各中央値である。一実施形態において、本方法は、パネルについて、プロセッサを用いて、第１の濃度値の統計的異常値を識別するものであり、各パネルについて、所望の濃度値に対する第１の濃度値の変化を決定することには、決定した結果から統計的異常値を排除することが含まれる。
【符号の説明】
【００２６】
１００  トナー画像処理装置、１０２  感光体ベルト、１０４  保持画像形成面、１１０  センサ、１１２  帯電部材、１１４  コンピュータ、１１６  プロセッサ、１１８  コントロールポイントまたはコントロールパッチ。
【図１】
2011043811.tif 000003
【図２】
2011043811.tif 000004
【図３】
2011043811.tif 000005
【図４】
2011043811.tif 000006
【図５】
2011043811.tif 000007